(57)【特許請求の範囲】
【請求項１】
シャッターを開閉させるレリーズ釦を有し、レンズの焦点距離、絞り及びシャッタースピードを設定する操作部と、
上記レリーズ釦が押されたことを検出する検出手段と、
所定の振動強度及び所定の振動時間で機械的振動を発生する振動手段と、
上記検出手段の検出結果に基づいて、上記振動手段を制御する制御手段とを備え、
上記制御手段は、
上記検出手段により上記レリーズ釦が押されたことが検出された場合に、上記操作部で設定されたシャッタースピードに応じて上記振動強度を算出し、上記シャッターが開いて露光される間、算出された上記振動強度で上記振動手段を振動させるように制御するカメラ。
【請求項２】
上記レリーズ釦の操作に同期した振動を発生するか否かを選択する選択手段を更に備える請求項１に記載のカメラ。
【発明の詳細な説明】
【技術分野】
【０００１】
この発明は、一眼レフカメラのような可動式ミラー、フォーカルプレーンシャッターなどの機構部品を有しないカメラに関する。詳しくは、シャッターを開閉させるレリーズ釦を有し、レンズの焦点距離、絞り及びシャッタースピードを設定する操作部と、カメラに所定の振動強度及び所定の振動時間で機械的振動を発生する振動手段と、該振動手段を制御する制御手段とを設け、撮影する際に、制御手段は、レリーズ釦が押されたことを検出する検出手段によりレリーズ釦が押されたことが検出された場合に、操作部で設定されたレンズの焦点距離、絞り及びシャッタースピードに応じて振動強度及び振動時間を算出し、該算出結果に基づいて振動するように振動手段を制御する構成にすることによって、一眼レフカメラのような可動式ミラー、フォーカルプレーンシャッターなどの機構部品を持っていなくても、シャッターのタイミングを直接振動でユーザに伝えるので、撮影タイミングが容易につかむことができると共に、レリーズ釦を押す操作に伴う心地よい手応えを感じることができ、カメラとしての価値、高級感を演出することができるようにしたカメラに係るものである。
【背景技術】
【０００２】
一眼レフカメラでは、可動式ミラー、フォーカルプレーンシャッターなど複数の機構部品が撮影時に動作する。この際に発生する音は、撮影者および被写体によって「撮影している」という意識を高めると同時にシャッタータイミングを認識するための心地よいリズムとして、またカメラの高級感や精緻感を示す一つの指標として、それぞれのカメラやブランドを特徴づけるものとなっている。
【０００３】
これに対して、コンパクトカメラは、上述したような機構部品動作による音が発生しないので、従来、一部の電子式コンパクトカメラでは、撮影時の音を電子的に発生させることが、一つの機能となっており、撮影する楽しみを効果的に演出するのに役立っている。
【０００４】
例えば、シャッター開放音に類似した効果音を発生するデジタルカメラが提案されている（例えば、特許文献１参照）
この場合、シャッター釦の操作に応じて露光制御部がＣＣＤ（Charge Coupled Device）撮像素子の露光時間を決定し、ＣＣＤ撮像素子の露光動作を制御する。露光動作の開始時には効果音発生処理部が効果音記憶メモリから効果音を読み出し、スピーカからシャッター開放音に類似した効果音を発生させる。そして、露光期間中は効果音発生を停止させ、全体制御部において画像処理が効率的に行われるようにする。露光動作終了時には、再び効果音発生処理部が機能し、効果音記憶メモリから効果音を読み出し、スピーカからシャッター閉鎖音に類似した効果音を発生させる。これにより、銀塩カメラと同様の撮影操作感を実現することができる。
【０００５】
【特許文献１】特開２００３−２４４５１０号公報（第５,６頁、第３図）
【発明の開示】
【発明が解決しようとする課題】
【０００６】
しかしながら、一眼レフカメラでは、機械的な動作に伴って発生するのは音だけではない。機械的な振動がカメラ本体を経由して撮影者の手や指に伝わることで、撮影者はシャッタータイミングを体で感じ、これが撮影時の手応えとしてフィードバックされる。しかし、一眼レフカメラのような機構を持たないカメラではこういった手応えをほとんど感じることができず、特に上級ユーザにとって「物足りない」と感じさせる要因になっていた。
【０００７】
そこで、この発明は、撮影タイミングが容易につかむことができると共に、レリーズ釦を押す操作に伴う心地よい手応えを感じることができ、カメラとしての価値、高級感を演出することができるようにしたカメラを提供することを目的とする。
【課題を解決するための手段】
【０００８】
この発明に係るカメラは、シャッターを開閉させるレリーズ釦を有し、レンズの焦点距離、絞り及びシャッタースピードを設定する操作部と、レリーズ釦が押されたことを検出する検出手段と、所定の振動強度及び所定の振動時間で機械的振動を発生する振動手段と、検出手段の検出結果に基づいて、振動手段を制御する制御手段とを備え、制御手段は、検出手段によりレリーズ釦が押されたことが検出された場合に、操作部で設定されたレンズの焦点距離、絞り及びシャッタースピードに応じて振動強度及び振動時間を算出し、該算出結果に基づいて振動するように振動手段を制御するものである。
【０００９】
例えば、カメラにおいて、レリーズ釦の操作に同期した振動を発生するか否かを選択する選択手段を更に備えるようになされる。
【００１０】
この発明においては、シャッターを開閉させるレリーズ釦を有し、レンズの焦点距離、絞り及びシャッタースピードを設定する操作部と、カメラに所定の振動強度及び所定の振動時間で機械的振動を発生する振動手段と、該振動手段を制御する制御手段とが設けられ、撮影する際に、レリーズ釦が押されたことを検出する検出手段によりレリーズ釦が押されたことが検出された場合に、操作部で設定されたレンズの焦点距離、絞り及びシャッタースピードに応じて振動強度及び振動時間を算出し、該算出結果に基づいて振動するように振動手段が制御される。これにより、シャッターのタイミングを直接振動でユーザに伝えるので、撮影タイミングが容易につかむことができると共に、レリーズ釦を押す操作に伴う心地よい手応えを感じることができ、カメラとしての価値、高級感を演出することが可能となる。また、予め絞りやシャッタースピード条件に対応した振動強度、振動時間のデータを用意する必要がなくなる。また、長時間シャッターの場合に振動による手ぶれを抑制することができる。
【００１１】
また、レリーズ釦の操作に同期した振動を発生するか否かを選択する選択手段を設けることにより、ユーザが自分の好みで振動の有無を選択することが可能となる。
【発明の効果】
【００１２】
この発明によれば、制御手段が検出手段によりレリーズ釦が押されたことが検出された場合に、操作部で設定されたレンズの焦点距離、絞り及びシャッタースピードに応じて振動強度及び振動時間を算出し、該算出結果に基づいて振動するように振動手段を制御するものであり、カメラは一眼レフカメラのような可動式ミラー、フォーカルプレーンシャッターなどの機構部品を持っていなくても、シャッターのタイミングを直接振動でユーザに伝えるので、撮影タイミングが容易につかむことができると共に、レリーズ釦を押す操作に伴う心地よい手応えを感じることができ、カメラとしての価値、高級感を演出することができる。また、予め絞りやシャッタースピード条件に対応した振動強度、振動時間のデータを用意する必要がなくなる。
【発明を実施するための最良の形態】
【００１３】
以下、図面を参照しながら、この発明の実施の形態のカメラについて説明する。
図１は、本発明の実施の形態のカメラ１００の構成を示す図である。このカメラ１００は、レリーズ釦を押すことによりシャッターが開き、露光を行う際に、機構部品の動作による機械的振動を発生しないカメラである。
【００１４】
図１に示すように、カメラ１００は、シャッター１１と、ＣＣＤ（Charge Coupled Device）撮像素子１２と、Ａ／Ｄ変換回路１３と、信号処理部１４と、制御手段としての制御部１５と、レリーズ釦１６と、操作部１７と、記録媒体１８と、駆動回路１９と、振動手段としてのアクチュエータ２０とから構成されている。
【００１５】
シャッター１１は、レリーズ釦１６の操作により開閉動作を行い、ＣＣＤ撮像素子１２を露光させるようになされる。シャッター１１の動作タイミングは、レリーズ釦１６が操作されたタイミングと同期、またはその後である。また、シャッター１１の開き時間は設定された露光時間に基づいて制御される。
【００１６】
ＣＣＤ撮像素子１２は、被写体像を撮影して電子的な画像信号を生成する撮像手段であり、多数の画素を有し、撮影レンズによって結像された被写体の光像を画像毎にＲ（赤）、Ｇ（緑）、Ｂ（青）の色成分の画像信号に光電変換して出力する。ＣＣＤ撮像素子１２から得られる画像信号はＡ／Ｄ変換回路１３に入力される。
【００１７】
Ａ／Ｄ変換回路１３は、画像信号の各画素信号を１２ビットのデジタル信号に変換するものである。Ａ／Ｄ変換回路１３は、信号処理部１４から入力されるＡ／Ｄ変換用のクロックに基づいて各画素信号（アナログ信号）を１２ビットのデジタル信号に変換する。
【００１８】
信号処理部１４は、Ａ／Ｄ変換回路１３から入力されるデジタル信号を処理する回路、例えばＬＳＩ（Large Scale Integrated Circuit）である。この信号処理部１４は、例えば、Ｒ,Ｇ,Ｂの各色成分のレベル変換を行うホワイトバランス回路と、画素データの階調を補正するγ補正回路と、ユーザから設定された色補正に関するパラメータに基づいて色補正を行う色補正回路と、画像データを圧縮処理する圧縮処理回路とを備える。
【００１９】
この信号処理部１４の動作は、制御部１５により制御される。また、信号処理部１４で処理され、ＪＰＥＧ（Joint Photographic Experts Group）など形式に圧縮された画像データは、制御部１５を介して記録媒体１８に記録される。なお、画像データは圧縮処理されずに、そのまま制御部１５を介して記録媒体１８に記録するようにしてもよい。
【００２０】
制御部１５は、ＣＰＵ、ＲＯＭ、ＲＡＭを有するマイクロコンピュータである。ＣＰＵはＲＯＭに格納された制御プログラムに従って、ＲＡＭをワークエリアとして使用しながら、カメラ１００の動作を制御する。この制御部１５は、レリーズ釦が押されたことを検出する検出手段としても機能する。撮影する際に、ユーザがレリーズ釦を押すと、制御部１５はレリーズ釦が押されたことを検出し、この検出結果に基づいて、所定タイミング、所定強度で振動するように振動手段を制御する。
【００２１】
カメラ制御の設定は、ユーザの選択によりマニュアルまたはオートにすることができるようになされる。マニュアルにした場合には、ユーザが絞りやシャッタースピードの調整を行う。また、オートにした場合には、制御部１５によって撮影時の絞りやシャッタースピードの調整を自動的に行うようになされる。
【００２２】
レリーズ釦１６は、カメラ１００の本体上部に設けられている。このレリーズ釦１６はユーザが撮影動作を指示するための操作部である。レリーズ釦１６は、例えば、半押し状態と全押し状態との２段階の押し込み操作を検知可能なように構成される。カメラ制御の設定をオートにしたとき、レリーズ釦１６が半押し状態とされた場合には、カメラ１００における自動合焦動作が開始され、全押し状態とされた場合には、カメラ１００での露光動作が開始される。
【００２３】
操作部１７は、撮像に関する設定内容を入力するものである。操作部１７は、例えば、入力キーおよびＬＣＤ（Liquid Crystal Display）から構成される。ＬＣＤには、各種設定の選択メニューを表示することができる。操作部１７でレンズの焦点距離、シャッタースピード等を設定することができる。操作部１７からの入力信号は制御部１５に入力される。入力キーとしては、画面に表示されるメニューを選択するための「上」、「下」、「左」、「右」方向の操作キー、および決定キーなどを備える。なお、操作部１７は、タッチパネルにより構成されてもよい。
【００２４】
また、操作部１７は、レリーズ釦の操作に同期した振動を発生するか否かを選択する選択手段として機能する。例えば、ＬＣＤに、後述する図４に示すような設定メニューを表示させ、ユーザによりレリーズ釦の操作に同期した振動を発生するか否かを選択できるようになされる。
【００２５】
記録媒体１８は、画像データを記憶するものである。例えば、メモリカード等が用いられる。制御部１５により信号処理部１４で処理された画像データを記録媒体１８に書き込み、および記憶された画像データを読み出すことが可能とされる。
【００２６】
駆動回路１９は、制御部１５の制御に基づいて、所定タイミング、所定振動強度で振動を発生するようにアクチュエータ２０を駆動する回路である。例えば、この駆動回路１９は、制御部１５の制御により、アクチュエータ２０がレリーズ釦の操作に同期した振動を発生するように駆動を行う。また、駆動回路１９は、制御部１５の制御により、アクチュエータ２０の振動強度を変化させることができる。
【００２７】
アクチュエータ２０は、駆動回路１９からの駆動信号により機械的振動を発生する装置である。例えば、モータまたは圧電素子が用いられる。アクチュエータ２０の振動強度、持続時間等が駆動回路１９を介して制御部１５により制御される。アクチュエータ２０が発生した振動はカメラ１００の本体を介してユーザに伝えられる。ユーザがこの振動によりシャッターのタイミングを容易につかむことができる。アクチュエータ２０の振動強度は、心地よい手応えを感じられ、且つ手ぶれを発生しないように適切な振動設計により決定される。
【００２８】
なお、図示せずにも、カメラ１００にはシャッター開閉音に類似した効果音を発生する効果音発生部を有する。この効果音発生部は、ユーザによりレリーズ釦の操作に同期して効果音を発生することができる。
【００２９】
図２は、カメラ１００における動作のタイミングチャートを示す図である。図２に示すように、レリーズ釦が押された後に、シャッターを開くと同期して、アクチュエータ２０が振動を発生する。振動持続時間は、シャッターが開き、露光を行う時間と同じである。この場合、アクチュエータ２０の振動は、設定された強度で発生するようになされる。
【００３０】
また、アクチュエータ２０の振動強度は、レンズの焦点距離、シャッタースピードに応じて制御されるようになされる。図３は、長時間シャッターの場合のタイミングチャートを示す図である。図３に示すように、撮影環境の明るさまたはその他の要因で、シャッタースピードを長時間にした場合には、それに応じてアクチュエータ２０の動作時間を変化させることができる。また、長時間シャッターの場合には、手ぶれが起こりやすくなるため、アクチュエータ２０の振動強度を弱めることが可能とされる。例えば、設定された標準振動強度の２／３、または１／２程度で振動を行うようになされる。この場合、振動持続時間は、シャッターが開き、露光させる時間と同じである。なお、振動持続時間は、シャッターが開き、露光させる時間より短くなるようにしてもよい。
【００３１】
図４は、レリーズ釦の操作に同期した振動を発生するか否かを選択する画面の表示例である。図４に示すように、操作部１７の表示画面にシャッター振動を発生するか否かを選択するための「入」、「切」の選択肢が表示される。撮影する際に、ユーザは操作部１７の操作キー等により「入」、または「切」の選択肢を選択することで、レリーズ釦の操作に同期した振動を発生するか否かを選択することができる。選択設定は、選択画面が表示される状態で、操作部１７に設けてある「上」、「下」の操作キーで「入」または「切」を選択し、決定キーで設定入力を行う。
【００３２】
図５は、シャッター振動を「切」にした時のタイミングチャートを示している。図５に示すように、ユーザによりレリーズ釦の操作に同期した振動を発生しないように、シャッター振動を「切」にした時、シャッターが開き、露光を行う際にアクチュエータ２０が振動を発生しないようになされる。
【００３３】
続いて、図面を参照しながら、本発明に係るカメラ１００の撮影する際の動作例を説明する。図６は、撮影時にカメラ１００の動作例を示すフローチャートである。
【００３４】
図６に示すように、カメラ１００において、撮影時に、まず、ステップＳ１１で、カメラ制御の設定を判断する。ここで、カメラ制御の設定がマニュアルかオートかを判断する。撮影前に、ユーザによりカメラ制御の設定をマニュアルにした場合、設定がマニュアルであると判断し、一方、オートにした場合、設定がオートであると判断する。
【００３５】
ステップＳ１１でカメラ制御の設定がマニュアルであると判断された場合には、ステップＳ１２へ進む。ステップＳ１２で、ユーザにより絞りやシャッタースピードを調整する。この場合、ユーザが撮影環境に基づいて、カメラ１００の絞りやシャッタースピードを手動で調整する。そして、ステップＳ１３で、レリーズ釦を押す。この場合、ユーザが撮影を実行するためにレリーズ釦を押す。
【００３６】
次に、ステップＳ１６で、最適な振動強度、振動時間を検出する。ここで、制御部１５が、ユーザにより調整された絞りやシャッタースピードに基づいて、最適な振動強度、振動時間を検出する。例えば、予め用意された絞りやシャッタースピード条件に対応した振動強度、振動時間のデータから最適な振動強度、振動時間を検出する。
【００３７】
なお、このステップＳ１６で、制御部１５が、ユーザにより調整された絞りやシャッタースピードに基づいて、最適な振動強度、振動時間を算出するようにしてもよい。この場合、予め絞りやシャッタースピード条件に対応した振動強度、振動時間のデータを用意する必要がなくなる。
【００３８】
次に、ステップＳ１７で、ステップＳ１６での検出結果に基づいて振動を発生する。ここで、アクチュエータ２０の振動は、図２に示すように、露光時間と同じ持続時間である。アクチュエータ２０の振動が終了すると共に、撮影時の動作が終了する。
【００３９】
一方、ステップＳ１１で、カメラ制御の設定がオートであると判断された場合、ステップＳ１４へ進む。ステップＳ１４で、レリーズ釦を押す。この場合、ユーザが撮影を実行するためにレリーズ釦を押す。
【００４０】
次に、ステップＳ１５で、カメラ１００が最適な絞りやシャッタースピードを判断する。ここで、制御部１５は、撮影環境に基づいて最適な絞りやシャッタースピードを判断する。
【００４１】
次に、ステップＳ１６で、最適な振動強度、振動時間を検出する。ここで、制御部１５が、ステップＳ１５で得られた最適な絞りやシャッタースピードに基づいて、最適な振動強度、振動時間を検出する。例えば、予め用意された絞りやシャッタースピード条件に対応した振動強度、振動時間のデータから最適な振動強度、振動時間を検出する。
【００４２】
そして、ステップＳ１７で、ステップＳ１６での検出結果に基づいて振動を発生する。ここで、アクチュエータ２０の振動は、図２に示すように、露光時間と同じ持続時間である。アクチュエータ２０の振動が終了すると共に、撮影時の動作が終了する。
【００４３】
このように本実施の形態においては、カメラ１００に振動を発生するアクチュエータ２０を設け、撮影する際に、制御部１５によりレリーズ釦が押されたことが検出された場合に、アクチュエータ２０を所定タイミング、所定強度で振動させるようになされる。例えば、制御部１５は、レンズの焦点距離、シャッタースピードに応じて、振動の強度および持続時間を制御するようになされる。また、操作部１７にてレリーズ釦の操作に同期した振動を発生するか否かを選択することができるようになされる。
【００４４】
これにより、カメラ１００は一眼レフカメラのような可動式ミラー、フォーカルプレーンシャッターなどの機構部品を持っていなくても、シャッターのタイミングを直接振動でユーザに伝えるので、撮影タイミングが容易につかむことができると共に、レリーズ釦を押す操作に伴う心地よい手応えを感じることができ、カメラとしての価値、高級感を演出することができる。
【００４５】
また、レンズの焦点距離、シャッタースピードに応じて、振動の強度および持続時間を制御するようになされるため、長時間シャッターの場合に振動による手ぶれを抑制することができる。また、レリーズ釦の操作に同期した振動を発生するか否かを選択する選択手段を設けることにより、ユーザが自分の好みで振動の有無を選択することが可能となる。
【００４６】
なお、上述実施の形態においては、シャッター１１の動作と同時にアクチュエータ２０が振動を発生するものについて説明したが、これに限定されるものではない。例えば、図７に示すように、シャッター１１の動作が終了した後にアクチュエータ２０が所定強度、所定時間の振動を発生するようにしてもよい。
【００４７】
また、上述実施の形態においては、デジタルカメラについて説明したが、これに限定されるものではない。他の一眼レフカメラのような可動式ミラー、フォーカルプレーンシャッターなどの機構部品を持っていないコンパクトカメラにも、この発明を適用できる。
【００４８】
また、上述実施の形態においては、操作部１７の表示画面にシャッター振動を発生するか否かを選択するための「入」、「切」の選択肢が表示されるものであるが、これに限定されるものではない。選択肢を表示画面に表示しないで、外部切換スイッチを設け、この外部切換スイッチにより振動の「入」、「切」を切り換えるようにしてもよい。
【００４９】
また、上述実施の形態においては、撮影する際に、予め設定された振動強度と振動時間で振動するものであるが、これに限定されるものではない。例えば、ユーザが操作部１７で自分の好みで振動強度と振動時間を設定できるようにしてもよい。
【００５０】
また、上述実施の形態においては、記憶媒体は、メモリカードとしたが、これに限定されるものではない。他のメモリを記憶媒体として用いてもよい。
【産業上の利用可能性】
【００５１】
以上のように、この発明に係るカメラは、一眼レフカメラのような可動式ミラー、フォーカルプレーンシャッターなどの機構部品を持たないカメラにおいて、撮影時の手応えを感じることができ、特に上級ユーザにとって「物足りない」と感じさせない。カメラとしての価値、高級感を演出する目的に利用できる。
【図面の簡単な説明】
【００５２】
【図１】実施の形態のカメラの構成例を示す図である。
【図２】撮影時のタイミングチャートである。
【図３】長時間シャッターの場合のタイミングチャートである。
【図４】レリーズ釦の操作に同期した振動を発生するか否かを選択する画面の表示例を示す図である。
【図５】振動を「切」にした時のタイミングチャートである。
【図６】撮影時カメラ１００の動作例を示すフローチャートである。
【図７】シャッター動作後振動の場合のタイミングチャートである。
【符号の説明】
【００５３】
１１・・・シャッター、１２・・・ＣＣＤ撮像素子、１３・・・Ａ／Ｄ変換回路、１４・・・信号処理部、１５・・・制御部、１６・・・レリーズ釦、１７・・・操作部、１８・・・記録媒体、１９・・・駆動回路、２０・・・アクチュエータ、１００・・・カメラ
【図１】
0004649835.tif 000002
【図２】
0004649835.tif 000003
【図３】
0004649835.tif 000004
【図４】
0004649835.tif 000005
【図５】
0004649835.tif 000006
【図６】
0004649835.tif 000007
【図７】
0004649835.tif 000008